(57)【要約】【課題】筆記状態と非筆記状態とを簡単且つ確実に切り替えることができる筆記具を提供する。【解決手段】筆記具１が、軸筒２と、該軸筒２内に移動可能に配置された筆記体６と、軸筒２の側面に設けられた押圧部材１０と、筆記体６と軸線方向に係合して該筆記体６の移動を規制する係合部３５と、押圧部材１０と対向する位置の軸筒２内に配置された弾性部材５０とを具備し、押圧部材１０を径方向に沿って押圧すると、係合部３５の係合が解除されて筆記体６が重力によって移動可能となると共に、弾性部材５０が径方向に圧縮され、押圧を解放すると、弾性部材５０の復元力によって係合部３５が筆記体６と係合する。【選択図】図５
2016172359.tif 000002
【特許請求の範囲】
【請求項１】
軸筒と、該軸筒内に移動可能に配置された筆記体と、前記軸筒の側面に設けられた押圧部材と、前記筆記体と軸線方向に係合して該筆記体の移動を規制する係合部と、前記押圧部材と対向する位置の前記軸筒内に配置された弾性部材と、を具備する筆記具であって、
前記押圧部材を径方向に沿って押圧すると、前記係合部の係合が解除されて前記筆記体が重力によって移動可能となると共に、前記弾性部材が径方向に圧縮され、前記押圧を解放すると、前記弾性部材の復元力によって前記係合部が前記筆記体と係合することを特徴とする筆記具。
【請求項２】
筒状に形成された係合部材をさらに具備し、前記係合部が前記係合部材の内面に設けられていることを特徴とする請求項１に記載の筆記具。
【請求項３】
前記弾性部材が、薄板平板からなるドーム状のスプリングであることを特徴とする請求項１又は２に記載の筆記具。
【発明の詳細な説明】
【技術分野】
【０００１】
本発明は、筆記具に関する。
【背景技術】
【０００２】
筆記体（リフィル）の自重を利用して、ペン先である筆記部が軸筒の先端から突出した筆記状態と筆記部が軸筒内に没入した非筆記状態とを切り替え可能な筆記具が公知である（特許文献１）。
【０００３】
特許文献１の第１実施形態及び第２実施形態による筆記具では、リフィルを包囲する板バネ等の弾性部材の弾性力を利用してリフィルを挟持している。したがって、弾性部材の弾性力に抗して押圧部材を軸筒の径方向内側に向かって押圧することによってリフィルの挟持を解除し、筆記状態と非筆記状態との切り替えが可能となる。押圧部材の押圧を解除すると、押圧部材は、弾性部材の弾性力によって元の位置に復帰する。
【０００４】
特許文献１の第３実施形態による筆記具では、押圧部材に取り付けられたリング状の係合部材が、リフィルに形成された２つの段部のいずれか一方と係合している。すなわち、第３実施形態による筆記具では、第１実施形態及び第２実施形態による筆記具と異なり、リフィルは挟持ではなく係合によって、筆記状態又は非筆記状態が維持される。軸筒内において、押圧部材の前方には、傾斜面を有し且つスプリングによって後方に付勢されたスライド片が配置されている。
【０００５】
したがって、スライド片の傾斜面を介したスプリングの付勢力に抗して押圧部材を軸筒の径方向内側に向かって押圧することによってリフィルとの係合を解除し、筆記状態と非筆記状態との切り替えが可能となる。押圧部材の押圧を解除すると、押圧部材は、スライド片の傾斜面を介したスプリングの付勢力によって元の位置に復帰する。
【先行技術文献】
【特許文献】
【０００６】
【特許文献１】実開平４−５０２８３号公報
【発明の概要】
【発明が解決しようとする課題】
【０００７】
特許文献１の第１実施形態及び第２実施形態による筆記具では、弾性部材の弾性力による挟持でリフィルの移動を制止する必要があることから、意図しない移動を防止するため強い弾性力が必要となる。その結果、筆記状態と非筆記状態との切り替え時には、挟持を解除するために押圧部材に大きな力を加えなければならない。
【０００８】
特許文献１の第３実施形態による筆記具では、押圧部材が、その後端が軸筒に取り付けられて後端を中心に回動することから、係合部材は円弧状の軌道を描き、リフィルの段部との係合が解除されにくい。また、押圧部材の復帰の際に、スプリングの付勢方向と押圧部材の復帰方向とが直交していることから、押圧部材の前端がスライド片の傾斜面に沿って滑らかにスライドしない場合には、付勢力が押圧部材にうまく伝達せず、押圧部材が復帰の途中で停止してしまう場合がある。すなわち、押圧部材は、元の位置に復帰する直前の位置又は復帰した位置では、スプリングの付勢力が作用しない。その結果、係合部材とリフィルとが係合せず、筆記状態と非筆記状態とを切り替えることができない。
【０００９】
本発明は、筆記状態と非筆記状態とを簡単且つ確実に切り替えることができる筆記具を提供する。
【課題を解決するための手段】
【００１０】
本発明の一態様によれば、軸筒と、該軸筒内に移動可能に配置された筆記体と、前記軸筒の側面に設けられた押圧部材と、前記筆記体と軸線方向に係合して該筆記体の移動を規制する係合部と、前記押圧部材と対向する位置の前記軸筒内に配置された弾性部材と、を具備する筆記具であって、前記押圧部材を径方向に沿って押圧すると、前記係合部の係合が解除されて前記筆記体が重力によって移動可能となると共に、前記弾性部材が径方向に圧縮され、前記押圧を解放すると、前記弾性部材の復元力によって前記係合部が前記筆記体と係合することを特徴とする筆記具が提供される。
【００１１】
また、別の態様によれば、筒状に形成された係合部材をさらに具備し、前記係合部が前記係合部材の内面に設けられていることを特徴とする筆記具が提供される。
【００１２】
また、別の態様によれば、前記弾性部材が、薄板平板からなるドーム状のスプリングであることを特徴とする筆記具が提供される。
【発明の効果】
【００１３】
本発明の態様によれば、筆記状態と非筆記状態とを簡単且つ確実に切り替えることができるという共通の効果を奏する。
【図面の簡単な説明】
【００１４】
【図１】本発明の実施形態による筆記具の斜視図である。
【図２】図１の筆記具において後軸を省略した斜視図である。
【図３】図１の筆記具の筆記状態の縦断面図である。
【図４】図１の筆記具の非筆記状態の縦断面図である。
【図５】図１の筆記具の拡大縦断面図である。
【図６】図５の線Ｘ−Ｘにおける断面図である。
【図７】後軸の縦断面図である。
【図８】スイッチの斜視図である。
【図９】スイッチの縦断面図である。
【図１０】スイッチ保持部材の斜視図である。
【図１１】スイッチ保持部材の縦断面図である。
【図１２】係合部材の斜視図である。
【図１３】係合部材の縦断面図である。
【図１４】スプリング保持部材の斜視図である。
【図１５】スプリング保持部材の縦断面図である。
【図１６】往復部材の斜視図である。
【図１７】往復部材の縦断面図である。
【図１８】図１の筆記具の筆記状態と非筆記状態との切り替えを説明する縦断面図である。
【発明を実施するための形態】
【００１５】
以下、図面を参照しながら本発明の実施の形態を詳細に説明する。全図面に渡り、対応する構成要素には共通の参照符号を付す。
【００１６】
図１は、本発明の実施形態による筆記具１の斜視図であり、図２は、図１の筆記具１において後軸５を省略した斜視図であり、図３は、図１の筆記具１の筆記状態の縦断面図であり、図４は、図１の筆記具１の非筆記状態の縦断面図である。
【００１７】
筆記具１は、軸筒２と、クリップ部材３とを有している。軸筒２は、円筒状の前軸４と、前軸４の後端部にその前端部が圧入される円筒状の後軸５とを有している。軸筒２内には、筆記体であるリフィル６が、前後に移動可能、すなわち往復動可能に収容されている。前軸４の先端には孔が形成され、リフィル６先端の筆記部６ａが出没可能である。すなわち、筆記具１は、筆記部６ａが軸筒２の先端から突出した筆記状態（図３）と、筆記部６ａが軸筒２内に没入した非筆記状態（図４）とを切り替え可能な、いわゆる出没式の筆記具である。なお、本明細書中では、筆記具１の軸線方向において、筆記部６ａ側を「前」側と規定し、筆記部６ａとは反対側を「後」側と規定する。
【００１８】
図５は、図１の筆記具１の拡大縦断面図であり、図６は、図５の線Ｘ−Ｘにおける断面図である。筆記具１は、スイッチ１０と、スイッチ保持部材２０と、係合部材３０と、スプリング５０と、スプリング保持部材４０と、往復部材６０とを有している。以下、図５及び図６並びに対応する図面を参照しながら、各構成について詳述する。
【００１９】
図７は、後軸５の縦断面図である。図７において、左が筆記具１の前側で、右が筆記具１の後側である。後軸５の側面には、スイッチ１０及びスイッチ保持部材２０を受容する円形の取付穴５ａが形成されている。取付穴５ａの後方の後軸５の内部には、内部を前後に隔てる隔壁５ｂが設けられている。また隔壁５ｂの中央には、貫通孔５ｃが形成されている。隔壁５ｂより後方の後軸５の内部は、後述する往復部材６０の対応する部分を受容するように形成されている。
【００２０】
図８は、スイッチ１０の斜視図であり、図９は、スイッチ１０の縦断面図である。スイッチ１０は、円柱状に形成されたスイッチ本体１１と、スイッチ本体１１の上面に位置して使用者が押圧する押圧面１２と、スイッチ本体１１の下面に位置してより小径の円柱状に形成された挿入部１３とを有する。押圧面１２は、筆記具１が組み立てられた状態で外部に露出し、円筒状の後軸５の外周面と面一となるように湾曲面状に形成されている。挿入部１３の外周面には、外方に向かって突出するキー１４が形成されている。キー１４は、直方体状に形成され、上面はスイッチ本体１１の下面にも接続している。言い換えると、キー１４は、スイッチ本体１１の下面から下方に向かって突出している。スイッチ１０は、例えばポリカーボネート樹脂等といった比較的硬質の樹脂材料から一体的に形成される。
【００２１】
図１０は、スイッチ保持部材２０の斜視図であり、図１１は、スイッチ保持部材２０の縦断面図である。スイッチ保持部材２０は、円筒状の嵌合部２１を有している。嵌合部２１は、後軸５の取付穴５ａに内側からの圧入によって後軸５と嵌合するように外径が設定される。また、嵌合部２１の内径は、挿入されるスイッチ１０が滑らかに摺動可能に設定される。嵌合部２１の一端の端面は、スイッチ保持部材２０が後軸５に取り付けられた状態で外部に露出し、円筒状の後軸５の外周面と面一となるように湾曲面状に形成されている。嵌合部２１の他端には、後軸５に取り付けられた状態で後軸５の内周面に当接しながら前後に延在するフランジ部２２が形成されている。スイッチ保持部材２０は、アルミニウムや真鍮等の金属材料から形成される。
【００２２】
図１２は、係合部材３０の斜視図であり、図１３は、係合部材３０の縦断面図である。係合部材３０は、図１３において、左が筆記具１の前側で右が筆記具１の後側となるように軸筒２内に配置される。係合部材３０は、直方体の外形を有し、矩形断面の筒状に形成されている。係合部材３０の一面の中央部分には、円形の挿入口３１が形成されている。挿入口３１は、スイッチ１０の挿入部１３と圧入によって嵌合するように内径が設定される。挿入口３１の前側の縁には、係合部材３０の長手方向において前方に延び、スイッチ１０のキー１４に対応するキー溝３２が形成されている。係合部材３０の挿入口３１にスイッチ１０の挿入部１３を圧入する際、スイッチ１０のキー１４が係合部材３０のキー溝３２に受容されるように、スイッチ１０の向きが調整される。このとき、スイッチ本体１１の下面は、係合部材３０の対向する上面と接着剤等によって接合される。挿入口３１の左右を長手方向に延びる角は、大きく面取りがされている。
【００２３】
挿入口３１が形成された面に対向する面の外面の中央部分には、外方へ突出する押圧突起３３が形成されている（図１３）。押圧突起３３が形成された面の内面には、長手方向に亘って、断面が円弧状の円弧溝３４が形成されている。円弧溝３４の円弧の曲率半径は、後軸５の貫通孔５ｃと略同一に設定される。円弧溝３４の後端近傍には、円弧溝３４の深さよりは低く且つ上面が平坦な突起状の係合部３５が形成されている。係合部材３０は、例えばポリカーボネート樹脂等といった比較的硬質の樹脂材料から一体的に形成される。
【００２４】
図１４は、スプリング保持部材４０の斜視図であり、図１５は、スプリング保持部材４０の縦断面図である。スプリング保持部材４０は、図１５において、左が筆記具１の前側で右が筆記具１の後側となるように軸筒２内に配置される。スプリング保持部材４０は、Ｕ字溝の外形を有し、Ｕ字の外側である外面４１は円筒面状に形成され、Ｕ字の内側である内面４２は矩形状に形成されている。円筒面状の外面４１の外径は、スプリング保持部材４０が配置される後軸５の内径よりも僅かばかり小さく設定される。スプリング保持部材４０の内面４２によって画成される受容溝４５には、直方体の外形を有する係合部材３０が配置される。言い換えると、受容溝４５の幅は、対応する係合部材３０の幅より僅かばかり大きく設定される。内面４２の平坦な底面の中央付近には、円形で浅い凹部４３が形成されている。凹部４３内には、階段状の段部４４が形成されている。スプリング保持部材４０は、例えばポリカーボネート樹脂等といった比較的硬質の樹脂材料から一体的に形成される。
【００２５】
スプリング５０は、スプリング保持部材４０の凹部４３内の段部４４上に配置される。ドームスプリングは、一枚の金属等の薄板平板からなる材料をドーム状に加工した弾性部材であり、ドームの頂点を押圧して弾性変形させると、それに応じた復元力が得られる。スプリング５０は、例えば、株式会社アキュレイト製の金属製のドームスプリングである。スプリング５０は、その他の弾性部材、例えばコイルスプリングや、シリコーンゴム等のゴム材質又はポリエステル系エラストマー等の熱可塑性エラストマーといった弾性材料を配置してもよい。
【００２６】
図１６は、往復部材６０の斜視図であり、図１７は、往復部材６０の縦断面図である。往復部材６０は、図１７において、左が筆記具１の前側で右が筆記具１の後側となるように軸筒２内に配置される。往復部材６０は、後部に配置され且つ肉厚の円筒状に形成された大径の重量部６１と、前部に配置され且つ円筒状に形成された小径のリフィル嵌合部６３と、重量部６１とリフィル嵌合部６３とを連結する接続部６４とを有している。
【００２７】
重量部６１の外周面には、２つの環状の突起である摺動突起６２が形成されている。重量部６１は、後軸５の隔壁５ｂによって隔てられた後方の空間に配置され、筆記具１の姿勢に応じて、すなわち重力の作用する方向に向かって前後に移動する錘の役割を果たす。前後の移動の際、摺動突起６２が後軸５の内周面に当接して摺動し、軸筒２の中心軸線と往復部材６０の中心軸線とが一致する状態を維持するようにしている。
【００２８】
リフィル嵌合部６３は、リフィル６の後端部に挿入され、それによって、リフィル６と往復部材６０とが一体に接続される（図５）。リフィル嵌合部６３には、リフィル嵌合部６３がリフィル６に挿入された状態で、リフィル６と外部を連通する通気孔６５が形成されている。
【００２９】
接続部６４は、リフィル嵌合部６３と略同じ外径に形成されている。また、リフィル嵌合部６３及び接続部６４は、後軸５の隔壁５ｂに形成された貫通孔５ｃよりも僅かばかり小さい外径に設定される。接続部６４には、軸線方向に沿って並列する２つの環状の凹部が形成されている。後述するように、後側に配置された凹部は、筆記状態を維持するように係合部材３０の係合部３５と係合する筆記維持凹部６６であり、前側に配置された凹部は、非筆記状態を維持するように係合部材３０の係合部３５と係合する非筆記維持凹部６７である。往復部材６０は、アルミニウムや真鍮等の金属材料から形成される。
【００３０】
図３乃至図６を参照しながら、筆記具１の組み立てについて説明する。まず、スイッチ保持部材２０が、後軸５の前方から挿入され、後軸５の取付穴５ａに内側からの圧入によって取り付けられる。次いで、スプリング保持部材４０が、スプリング５０が凹部４３内に配置され且つ係合部材３０が受容溝４５内に配置された状態で、後軸５の前方から後軸５の隔壁５ｂに当接するまで挿入される。この状態では、係合部材３０の押圧突起３３が、スプリング５０のドーム状の頂点に配置されている。次いで、前軸４が、後軸５の前方から挿入され、前軸４の後端面と隔壁５ｂの前端面とで、スプリング保持部材４０が挟持される。次いで、スイッチ１０が、後軸５の外側からスイッチ保持部材２０の嵌合部２１内に挿入され、スイッチ１０の挿入部１３が、後軸５の内部に配置された係合部材３０の挿入口３１内に圧入によって取り付けられる。
【００３１】
次いで、往復部材６０と接続されたリフィル６が、後軸５の後方から挿入される。スイッチ１０が押圧されていない場合には、スプリング５０は弾性変形をしていないか、僅かに弾性変形をして、スイッチ１０を付勢するようにしてもよい。すなわち、係合部材３０は、筆記具１の径方向において、最もスイッチ１０の方に寄った位置にある。したがって、後軸５の貫通孔５ｃに挿入されたリフィル６は、係合部材３０の係合部３５に阻害されて奥まで挿入できない。
【００３２】
他方、スイッチ１０を押圧すると、係合部材３０が径方向に沿って移動することによって押圧突起３３がスプリング５０を押圧し、スプリング５０が径方向に弾性変形する。その結果、係合部材３０の係合部３５が径方向に沿って移動することによって、係合部３５によって阻害されていた経路が解放され、リフィル６及び往復部材６０が進入することが可能となる。
【００３３】
よって、スイッチ１０を押圧しながら、往復部材６０の重量部６１が後軸５の隔壁５ｂに当接するまで挿入する。次いで、スイッチ１０を解放すると、スプリング５０の復元力によって、係合部材３０は再び径方向に沿って移動し、元の位置に復帰する。このとき、係合部材３０の係合部３５が、往復部材６０の接続部６４の筆記維持凹部６６内に配置される。最後に、クリップ部材３を後軸５の後端部に取り付け、筆記具１の組み立てが完了する。
【００３４】
係合部材３０の係合部３５が、筆記維持凹部６６内、又は、後述するように非筆記維持凹部６７内に配置されることによって、係合部材３０と往復部材６０とが軸線方向に係合し、軸筒２に対する往復部材６０の移動、すなわち往復部材６０に取り付けられたリフィル６の軸線方向の移動を規制し、筆記状態又は非筆記状態が維持される。
【００３５】
図１８は、図１の筆記具１の筆記状態と非筆記状態との切り替えを説明する縦断面図である。図１８（Ａ）は、筆記具１の筆記状態を示しており、図５に示された筆記具１と同じ状態を示している。すなわち、図１８（Ａ）では、係合部材３０の係合部３５が、筆記維持凹部６６内に配置されている。
【００３６】
図１８（Ｂ）は、スイッチ１０を押下している状態を示している。すなわち、係合部材３０の径方向に沿った移動によって、係合部３５は、往復部材６０の筆記維持凹部６６又は非筆記維持凹部６７との係合が解除されるまで、径方向をスイッチ１０とは反対の方向に移動する。その結果、往復部材６０は、軸筒２内を前後方向に自由に移動可能となる。すなわち、スイッチ１０を押下しながら筆記具１の姿勢を変えると、往復部材６０及びこれに接続されたリフィル６に作用する重力、すなわち自重によって、往復部材６０が軸筒２内を前方又は後方へ移動する。
【００３７】
使用者が、スイッチ１０を押下しながら前端が下方を向くように筆記具１を把持すると、往復部材６０は重力によって前方へ移動する。往復部材６０の前方への移動は、重量部６１と後軸５の隔壁５ｂとの当接によって規制される。このときにスイッチ１０の押圧を解放すると、スプリング５０の復元力によって係合部材３０が径方向に沿って移動し、図１８（Ａ）に示されるように、係合部３５が往復部材６０の筆記維持凹部６６内に配置される。その結果、係合部材３０と往復部材６０とが係合し、筆記状態が維持される。
【００３８】
他方、使用者が、スイッチ１０を押下しながら前端が上方を向くように筆記具１を把持すると、往復部材６０は重力によって後方へ移動する。往復部材６０の後方への移動は、重量部６１と後軸５の後端部に挿入されたクリップ部材３の部分との当接によって規制される。このときにスイッチ１０の押圧を解放すると、スプリング５０の復元力によって係合部材３０が径方向に沿って移動し、図１８（Ｃ）に示されるように、係合部３５が往復部材６０の非筆記維持凹部６７内に配置される。その結果、係合部材３０と往復部材６０とが係合し、非筆記状態が維持される。
【００３９】
本発明によれば、係合部材３０の係合部３５と往復部材６０の筆記維持凹部６６又は非筆記維持凹部６７との係合が、スイッチ１０の径方向に沿った移動に伴う係合部材３０の径方向に沿った移動によって解除されることから、筆記状態と非筆記状態とを簡単且つ確実に切り替えることができる。さらに、係合部材３０の係合部３５は、往復部材６０の筆記維持凹部６６内又は非筆記維持凹部６７内に配置された状態で、前後方向に適度なクリアランスがあることから、スイッチ１０を押圧する際に、押圧操作を阻害しない。また、リフィル６と往復部材６０と一体に接続されており、重量部６１が錘である重量部６１を有していることから、スムーズで安定的に動作し、筆記状態と非筆記状態とを確実に切り替えることができる。
【００４０】
弾性部材としてドームスプリングを使用していることから、スイッチ１０の押下操作時に、使用者は、短い押圧ストロークで確実なクリック感を感じることができ、心地よい操作感を得ることができる。
【符号の説明】
【００４１】
１    筆記具
２    軸筒
４    前軸
５    後軸
６    リフィル
１０    スイッチ
２０    スイッチ保持部材
３０    係合部材
３５    係合部
４０    スプリング保持部材
５０    スプリング
６０    往復部材
【図１】
2016172359.tif 000003
【図２】
2016172359.tif 000004
【図３】
2016172359.tif 000005
【図４】
2016172359.tif 000006
【図５】
2016172359.tif 000007
【図６】
2016172359.tif 000008
【図７】
2016172359.tif 000009
【図８】
2016172359.tif 000010
【図９】
2016172359.tif 000011
【図１０】
2016172359.tif 000012
【図１１】
2016172359.tif 000013
【図１２】
2016172359.tif 000014
【図１３】
2016172359.tif 000015
【図１４】
2016172359.tif 000016
【図１５】
2016172359.tif 000017
【図１６】
2016172359.tif 000018
【図１７】
2016172359.tif 000019
【図１８】
2016172359.tif 000020